(57)【要約】【課題】  引戸の初期開きにおける蹴り出し操作時に戸先側竪枠に傷が付き難いハンドル装置を提供する。【解決手段】  本発明のハンドル装置１において、台座７は引戸障子３の戸先側に固定してあり、ハンドル９は台座７に回転自在に設けてあり、カム１１はハンドル９の回転に連動して回転するように台座７に回転自在に設けてあり且つ係合軸１９を有しており、枠受け１３は戸先側竪枠８に当接する当接面２１と、係合軸１９に係合する長孔２３とを有し、カム１１の回転に連動して台座７内から戸先側竪枠８に向けて突出し、付勢部材１５はカム１１と台座７との間に設けて枠受け１３が台座７内に収まる位置に向けてカム１１を付勢している。【選択図】      図１
2005282148.tif 000002
【特許請求の範囲】
【請求項１】
台座と、ハンドルと、カムと、付勢部材と、枠受けを備え、台座は引戸障子の戸先側に固定するものであり、ハンドルは台座に回転自在に設けてあり、カムはハンドルの回転に連動して回転するように台座に回転自在に設けてあり且つ係合軸を有しており、枠受けは戸先側竪枠に当接する当接面と、係合軸に係合する長孔とを有し、カムの回転に連動して台座内から戸先側竪枠に向けて突出し、付勢部材はカムと台座との間に設けて枠受けが台座内に収まる位置に向けてカムを付勢していることを特徴とするハンドル装置。
【発明の詳細な説明】
【技術分野】
【０００１】
本発明は、引戸を開閉するハンドル装置に関する。
【背景技術】
【０００２】
特許文献１には、ハンドルの回転に連動するカムの回転によりカムの先端部に設けたローラを台座内から竪枠に向けて突出させて、引戸の初期開き操作時に蹴り出しを行うことが開示されている。
【０００３】
【特許文献１】特開２００１−２７１５２０号公報
【発明の開示】
【発明が解決しようとする課題】
【０００４】
しかし、上述の従来技術では、蹴り出し時に、ローラと竪枠とが線接触するので、線接触部分に蹴り出し時の力が集中し、竪枠に傷が付き易いというという問題がある。
【０００５】
そこで、本発明は、引戸の初期開きにおける蹴り出し操作時に戸先側竪枠に傷が付き難いハンドル装置の提供を目的とする。
【課題を解決するための手段】
【０００６】
請求項１に記載の発明は、台座と、ハンドルと、カムと、付勢部材と、枠受けを備え、台座は引戸障子の戸先側に固定するものであり、ハンドルは台座に回転自在に設けてあり、カムはハンドルの回転に連動して回転するように台座に回転自在に設けてあり且つ係合軸を有しており、枠受けは戸先側竪枠に当接する当接面と、係合軸に係合する長孔とを有し、カムの回転に連動して台座内から戸先側竪枠に向けて突出し、付勢部材はカムと台座との間に設けて枠受けが台座内に収まる位置に向けてカムを付勢していることを特徴とする。
【発明の効果】
【０００７】
請求項１に記載の発明によれば、引戸を開く時にハンドルを引くと、ハンドルは台座に対して回転し、ハンドルの回転に連動してカムが回転し、係合軸に係合している枠受けが台座から戸先側竪枠に向けて突出し、戸先側竪枠に面で当接して、引戸を開き方向に蹴り出す。
枠受けは戸先側竪枠に面で当接するので、従来技術のローラのように線接触する場合に比較して局所的な力の集中を低減でき、竪枠に傷が付き難い。
枠受けは長孔に係合軸を係合しており、カムの回転が進むと係合軸が長孔内を移動するので、カムの回転角度が変わっても枠受けの当接面を竪枠に面で当接させたまま係合軸が長孔内を摺動し、当接面と戸先側竪枠との摺動がないから、この点においても戸先側竪枠が傷付き難い。
付勢部材は枠受けを台座内に納まる位置に向けて付勢しているので、引戸障子を開いたままにしてハンドル操作をしない状態のときに、枠受けが台座から突設しないので外観が良い。
【発明を実施するための最良の形態】
【０００８】
以下に、添付図面を参照して本発明の実施の形態を詳細に説明する。図１は本実施の形態にかかるハンドル装置の動きを説明する図であり、（ａ）〜（ｄ）はハンドル装置の台座部分を切り欠いて示す正面図であり、図２は図１（ａ）のハンドル装置をＡ−Ａ方向から見た側面図であり、図３は図４に示す引戸の横断面図でありハンドル装置が図１（ｂ）にあるときの図であり、図４は本実施の形態にかかるハンドル装置を取付けた引戸の正面図である。
本実施の形態にかかるハンドル装置１は、引戸障子３の戸先側部５に取付けてあり、引戸の初期開き時に蹴り出しを行うことにより、障子３の引き動作を軽い力でおこなうことができるようにしたものである。
ハンドル装置１は、台座７と、ハンドル９と、カム１１と、枠受け１３、付勢部材１５とを備えている。
台座７は、引戸障子３の戸先側部５において見付け面に固定してある。
ハンドル９は台座７に取付けた水平軸１７の軸周りを回転自在に設けてある。ハンドル９の握り部９ａは台座７の下方に位置しており、握り部９ａを引戸障子の開き方向に沿って斜め上方に引き上げて引戸の開閉操作を行うようになっている。
カム１１はハンドル９の水平軸１７周りを回転自在に設けてあり、ハンドル９の回転に連動して回転するように台座７に回転自在に設けてある。カム１１において、戸先側竪枠８側には枠受け１３に係合する水平方向の係合軸１９が設けてある。
係合軸１９はカム１１の回転に伴なって回転軌跡上を台座７内から戸先側竪枠８に向けて移動するようになっている。
枠受け１３は戸先側竪枠８との当接面２１と、係合軸１９に係合する長孔２３とを有している。長孔２３は上下に長く形成されており、係合軸１９が長孔２３を上下に移動自在である。
枠受け１３は金属とゴム材とでできており、長孔を形成してある金属の外周に輪状のゴムを嵌めてあり、当接面２１はゴム材でできている。枠受け１３の当接面２１は枠に用いられている傷付け防止部材の余りを用いている。
付勢部材１５はコイルばねであり、台座７とカム１１との間に設けてあり、枠受け１３が台座７内に納まる位置に向けてカム１１を付勢している。
【０００９】
次に、本実施の形態にかかる作用効果について説明する。
引戸の閉じ状態では、ハンドル９は台座７から垂下した位置にあり、枠受け１３は付勢部材１５の付勢力により台座７内に位置している。また、引戸障子３の閉じ状態では、戸先側竪枠８と枠受け１３との間に隙間Ｓを形成している（図１（ａ））。
引戸を開くときには、ハンドル９の握り部９ａを引戸の開き方向に引くと、ハンドル９は台座７に対して回転し、ハンドル９の回転に連動してカム１１が回転することにより、係合軸１９に係合している枠受け１３が台座７から戸先側竪枠８に向けて突出する（図１（ｂ））。枠受け１３は隙間Ｓの間を移動するので始動時の負荷がほとんどかからないから、勢いを付けてハンドル９を引くことができ、初動をスムーズにおこなうことができる。
更に、ハンドル９を引くと、カム１１が更に回動して枠受け１３の当接面２１が台座７から更に突出し、戸先側竪枠８に面で当接し、戸先側竪枠８に対して引戸障子３を蹴り出す（図１（ｃ））。尚、カム１１の回動により付勢部材１５はカム１１に押されて次第に縮められる。
そして、そのままハンドル９を引戸障子３の開き方向に引き続けて、引き戸を開く（図１（ｄ））。
引戸を開き終わってハンドル９を手から離すと、付勢部材１５は付勢力に抗して縮められているので、弾性復帰してカムを初期位置に戻す。
本実施の形態によれば、枠受け１３は戸先側竪枠８に面で当接するので、従来技術のローラのように線接触する場合に比較して戸先側竪枠８に傷が付き難い。
枠受け１３は長孔２３に係合軸１９を係合しており、カム１１の回転が進むと係合軸１９が長孔２３内を移動するので、カム１１の回転角度が変わっても枠受け１３の当接面２１を戸先側竪枠８に面で当接させたまま係合軸１９が長孔２３内を摺動し、当接面２１と戸先側竪枠８との摺動がないから、この点においても戸先側竪枠８が傷付き難い。
ハンドル９が台座７の下方に垂下してあるから、ハンドルの握り位置が低いので、子供や年寄りでもハンドル９を握り易い。
枠受け１３は係合軸１９に垂下して、カム１１からぶら下がる状態としてあるので、簡単な構成で当接面を鉛直方向に保持でき、戸先竪枠との面当接が容易にできる。
【００１０】
本発明は、上述した実施の形態に限らず、本発明の要旨を逸脱しない範囲で種々変形可能である。
例えば、枠受け１３は、図５（ａ）に示すように、金属製箱３１内に軟質樹脂材３３を嵌め込んで、軟質樹脂材３３を金属製箱３１の一側面から突設させて当接面２１としてもよいし、図５（ｂ）に示すように、金属製箱３１の一側面に嵌合溝３５を形成し、嵌合溝３５に樹脂材３３を嵌め込んで当接面２１としてもよい。
付勢部材１５は、コイルばねに限らず板ばね等であってもよい。
長孔２３は鉛直方向に直線状に形成することに限らず、円弧状や鉛直方向に対して傾斜するものであってもよい。
係合軸１９の外周にローラを設けて係合軸１９が長孔２３内を移動し易いようにしてもよい。
【図面の簡単な説明】
【００１１】
【図１】本実施の形態にかかるハンドル装置の動きを説明する図であり、（ａ）〜（ｄ）ハンドル装置の台座部分を切り欠いて示す正面図である。
【図２】図１（ａ）のハンドル装置をＡ−Ａ方向から見た側面図である。
【図３】図４に示す引戸の横断面図でありハンドル装置が図１（ｂ）にあるときの図である。
【図４】本実施の形態にかかるハンドル装置を取付けた引戸の正面図である。
【図５】（ａ）及び（ｂ）は変形例にかかる枠受けの斜視図である。
【符号の説明】
【００１２】
１      ハンドル装置
３      引戸障子
５      戸先側部
７      台座
８      戸先側竪枠
９      ハンドル
１１    カム
１３    枠受け
１５    付勢部材
１９    係合軸
２１    当接面
２３    長孔
【図１】
2005282148.tif 000003
【図２】
2005282148.tif 000004
【図３】
2005282148.tif 000005
【図４】
2005282148.tif 000006
【図５】
2005282148.tif 000007